(57)【要約】      （修正有）【課題】計量した内容物のみを注出できる操作性のよい定量注出器を提案する。【解決手段】  定量注出器を、底壁２ａとこれにつながる側壁２ｂにて形成された凹部を有し容器１の口部１ａに固定保持される基体２と、先端開口３ａを有し該基体２の凹部を覆い隠してその縁部にて連結保持されるノズルヘッド３と、前記基体２の側壁２ｂ及びノズルヘッドの内壁３ｂのそれぞれに摺動可能でその内部に貯留空間ｍを形成するスライダー４と、前記基体２の底壁２ａとスライダー４の底部４ａの相互間に配置され、スライダー４を押圧してその頭部４ｂを先端開口３ａより突出させるとともにそれにつながる頭部基端４ｃを弁部ｖとしてノズルヘッド３の内側座面３ｃに密着させる弾性支持部材５とを備えたものにて構成する。【選択図】図１
2006036303.tif 000002
【特許請求の範囲】
【請求項１】
容器内の内容物の定量取り入れを可能とする貯留空間を備え、注出開口を通して貯留空間内の内容物を注出する定量注出器であって、
底壁とこれにつながる側壁にて形成された凹部を有し容器の口部に固定保持される基体と、先端開口を有し該基体の凹部を覆い隠してその縁部にて連結保持されるノズルヘッドと、前記基体の側壁及びノズルヘッドの内壁のそれぞれにおいて摺動可能で、その内部に貯留空間を形成するスライダーと、前記基体の底壁とスライダーの底部の相互間に配置されスライダーを押圧してその頭部を先端開口より突出させるとともに該頭部につながる頭部基端を弁部としてノズルヘッドの内側座面に密着させる弾性支持部材とを備え、
前記基体の側壁に、容器内の内容物を通過させる開口を設け、
前記スライダーに、基体の側壁の開口及びスライダーの貯留空間を相互につなぐ貫通孔を形成してなり、
前記スライダーは、弾性支持部材の弾性力に抗する頭部の押圧にて該スライダーを摺動させてその外壁にて該開口を閉塞させる一方で、頭部基端をノズルヘッドの内側座面から離反させて開放し、貯留空間内の内容物を頭部と先端開口の相互間を通して外部へ注出する注出開口を有することを特徴とする定量注出器。
【請求項２】
前記ノズルヘッドの先端開口の開口端に当接してスライダーの頭部を内側に納める隔壁を有し、容器の口部の外側において係合保持されるオーバーキャップを備える、請求項１記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等、一回の使用量が定められたものは、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部へ排出するようにしていた（例えば、特許文献1参照）。
【特許文献１】特開２００２−３３７９１０号公報
【０００３】
ところで、従来のこの種の定量注出器は、計量にかかわる内容物を注出している最中に弁体に不用意な力が作用すると該弁体が簡単にスライドしてしまい、容器と計量筒部とを隔絶する弁が開放されることもあって、この場合、計量筒部内に必要以上の内容物が流れ込んでしまい定量注出ができないことが懸念された。
【発明の開示】
【発明が解決しようとする課題】
【０００４】
本発明の課題は、簡便な操作のもとで計量を行うことが可能で、計量に係わる内容物のみを確実に注出できる新規な定量注出器を提案するところにある。
【課題を解決するための手段】
【０００５】
本発明は、容器内の内容物の定量取り入れを可能とする貯留空間を備え、注出開口を通して貯留空間内の内容物を注出する定量注出器であって、
底壁とこれにつながる側壁にて形成された凹部を有し容器の口部に固定保持される基体と、先端開口を有し該基体の凹部を覆い隠してその縁部にて連結保持されるノズルヘッドと、前記基体の側壁及びノズルヘッドの内壁のそれぞれにおいて摺動可能で、その内部に貯留空間を形成するスライダーと、前記基体の底壁とスライダーの底部の相互間に配置されスライダーを押圧してその頭部を先端開口より突出させるとともに該頭部につながる頭部基端を弁部としてノズルヘッドの内側座面に密着させる弾性支持部材とを備え、
前記基体の凹部側壁に、容器内の内容物を通過させる開口を設け、
前記スライダーに、基体の開口及びスライダーの貯留空間を相互につなぐ貫通孔を形成してなり、
前記スライダーは、弾性支持部材の弾性力に抗する頭部の押圧にて該スライダーを摺動させてその外壁にて該開口を閉塞させる一方で、頭部基端をノズルヘッドの内側座面から離反させて開放し、貯留空間内の内容物を頭部と先端開口の相互間を通して外部へ注出する注出開口を有することを特徴とする定量注出器であり、この注出器には、前記ノズルヘッドの先端開口の開口端に当接してスライダーの頭部を内側に納める隔壁を有し、容器の口部に係合保持されるオーバーキャップを備え付けておくのが好ましい。
【発明の効果】
【０００６】
基体の側壁に設けられた開口と、スライダーに形成された貫通孔はその頭部を押圧しない限り常時連通しているため、容器を反転するだけで開口及び貫通孔を通して容器内の内容物を貯留空間に取り入れることが可能で、内容物の計量が簡単かつ正確に行える。
【０００７】
貯留空間内の内容物は、スライダーの頭部を注出部位に押し付けるだけで注出することができ、このとき、スライダーは基体の側壁およびノズルヘッドの内壁にて摺動しその外壁にて開口が閉塞されるため、容器内の内容物が貯留空間内へ流れ込むことはない。
【０００８】
以下、図面を用いて本発明をより具体的に説明する。
図１は本発明に従う定量注出器の実施の形態を示したものである。
【０００９】
図における１は内容物を収納する容器、２は容器１の口部１ａに固定保持される基体である。この基体２は底壁２ａとこれにつながる側壁２ｂにて形成された凹部を有している。
【００１０】
また、３は基体２の凹部を覆い隠してその縁部にて連結保持（ねじあるいはアンダーカットなど）されるノズルヘッドであり、このノズルヘッド３は先端開口３ａを有している。
【００１１】
４は基体２の側壁２ｂ及びノズルヘッド３の内壁３ｂのそれぞれに摺動可能に配置されその内部に貯留空間ｍを形成するスライダー、５は基体２の底壁２ａに一体的に成形することができる樹脂スプリングの如き弾性支持部材であり、この弾性支持部材５は基体２の底壁２ａとスライダー４に嵌合固定されている底部４ａの相互間に配置され該スライダー４を底部４ａを介して押圧（上向きに押圧）してその頭部４ｂを先端開口３ａより突出させるとともに該頭部４ｂにつながる頭部基端４ｃを弁部ｖとしてノズルヘッド３の内側座面３ｃに密着させる。
【００１２】
また、６は基体２の側壁２ｂに設けられ容器１内の内容物を通過させる開口、７はスライダー４に形成され基体２の開口６及びスライダー４の貯留空間ｍを相互につなぐ貫通孔、８はスライダー４の弁部ｖにおいて少なくとも１つ設けることができる注出開口である。
【００１３】
弾性支持部材５の弾性力に抗する頭部４ｂの押圧にて該スライダー４を摺動させてその外壁にて開口６を閉塞すると、頭部基端４ｃをノズルヘッド３の内側座面３ｃから離反させて注出開口８が開放され、貯留空間ｍ内の内容物を頭部４ｂと先端開口３ａの相互間を通して外部へ注出する。
【００１４】
さらに、９は容器１の口部１ａに螺合、アンダーカット嵌合等の手段により係合保持されるオーバーキャップであって、このオーバーキャップ９はノズルヘッド３の先端開口３ａの開口端に当接してスライダー４の頭部４ｂを内側に納める隔壁９ａを有する。図示の実施例では、螺合により係合されるオーバーキャップ９が示されている。
【００１５】
上記の構成になる注出器は、オーバーキャップ９の取り付け、取り外しにかかわりなく上掲図１に示すような状態にあるときは、基体２の側壁２ｂに設けられた開口６と、スライダー４に設けられた貫通孔７が連通しており、容器１を反転させるだけで容器１内の内容物が貯留空間ｍ内へと流れ込むことになり、該貯留空間ｍが内容物で満たされることで計量を完了する。
【００１６】
内容物の計量を終えた容器を図２に示すように反転したままでスライダー４の頭部４ｂを塗布領域に押し付けると、該スライダー４は弾性支持部材５による弾性力に抗して基体２の側壁２ｂ及びノズルヘッド３の内壁３ｂにおいて摺動し、開口６はスライダー４の外壁にて閉塞され、スライダー４の頭部基端４ｃがノズルヘッド３の内側座面３ｃから離反して注出開口８が開放され、これにより、貯留空間ｍ内の内容物のみがスライダー４の頭部４ａとノズルヘッド３の先端開口３ａの相互間を通して外部へ注出されることになる。
【００１７】
本発明にしたがう定量注出器は、全て合成樹脂にて成形できるもので、とくに弾性支持部材５を基体２と一体に成形した場合には部品点数の削減を図ることができる。なお、弾性支持部材５は基体２と別体として構成することも可能であり、上記の基体２と一体成形するものに限るものではなく、スライダー４側に一体に成形することもでき、この場合も基体２と一体成形した場合と同様の効果が得られる。
【００１８】
また、スライダー４については、この例では、底部４ａを別部材としてこれを組み合わせた構造として示したが、例えば、スライダー４の底部４ａを形成せず、基体２の底壁２ａをもって貯留空間ｍの底部とするような構造においては、底部４ａに代えて弾性支持部材５の先端を支持できる当接部位をスライダー４に形成しておけばよく、構造的に成形が可能であるならば一体構造であってもかまわない。
【００１９】
基体２は、側壁２ｂの外側にその上端でつながり下端を開放した外壁２ｃを設けてその相互間に開口６につながる通路を設けたが、その断面形状は任意に変更できるもので図示のものには限定されない。
【００２０】
スライダー４の頭部４ｂは、その径を大きくしたり、末広がり形状（傘状）に変更することが可能で、育毛剤等の薬品類の注出塗布容器として使用する場合には、その先端に１個以上の突起を設けて刺激、マッサージ効果等を発揮させることもできる。
【産業上の利用可能性】
【００２１】
計量した内容物のみの注出が可能な定量注出器が提供可能で、育毛剤の如き薬品類の他、化粧料や調味料等を入れておく容器に好適であり、その用途は広範囲にわたる。
【図面の簡単な説明】
【００２２】
【図１】本発明にしたがう定量注出器の実施の形態を示した図である。
【図２】計量した内容物の注出状態を示した図である。
【符号の説明】
【００２３】
１  容器
１ａ  口部
２  基体
２ａ  底壁
２ｂ  側壁
３  ノズルヘッド
３ａ  先端開口
３ｂ  ノズルヘッドの内壁
３ｃ  内側座面
４  スライダー
４ａ  底部
４ｂ  頭部
４ｃ  頭部基端
５  弾性支持部材
６  開口
７  貫通孔
８  注出開口
ｖ  弁部
【図１】
2006036303.tif 000003
【図２】
2006036303.tif 000004